(57)【要約】【課題】微弱な振動であっても、振動特性の検出精度を向上させ得るようにする。【解決手段】計測対象の振動特性を検出する振動特性検出装置は、複数の振動センサ１０１と、各振動センサ１０１の検出波形に基づいて、卓越振動数を求める卓越振動数演算部（検出部１０２）と、複数の振動センサ１０１の複数の組み合わせごとに、卓越振動数のばらつき程度を求め、上記ばらつき程度が最も小さい振動センサ１０１の組み合わせについて、卓越振動数の代表値を求める代表値演算部（検出部１０２）とを備える。【選択図】図１
2020085515.tif 000002
【特許請求の範囲】
【請求項１】
計測対象の振動特性を検出する振動特性検出装置であって、
複数の振動センサと、
各振動センサの検出波形に基づいて、卓越振動数を求める卓越振動数演算部と、
上記複数の振動センサの複数の組み合わせごとに、卓越振動数のばらつき程度を求め、上記ばらつき程度が最も小さい振動センサの組み合わせについて、卓越振動数の代表値を求める代表値演算部と、
を備えたことを特徴とする振動特性検出装置。
【請求項２】
請求項１の振動特性検出装置であって、
上記卓越振動数演算部は、全ての振動センサの検出波形について、卓越振動数を求めることを特徴とする振動特性検出装置。
【請求項３】
請求項１から請求項２のうち何れか１項の振動特性検出装置であって、
上記代表値演算部は、上記最も小さいばらつき程度が所定の閾値以下である場合に、上記卓越振動数の代表値を求めることを特徴とする振動特性検出装置。
【請求項４】
請求項１から請求項３のうち何れか１項の振動特性検出装置であって、
さらに、上記卓越振動数の代表値に最も近い卓越振動数を固有振動数として求める固有振動数決定部を有することを特徴とする振動特性検出装置。
【請求項５】
請求項１から請求項４のうち何れか１項の振動特性検出装置であって、
さらに、上記卓越振動数の代表値、または上記固有振動数と、過去の卓越振動数の代表値、または固有振動数との差が、所定の下限閾値を超える場合に、上記卓越振動数の代表値、または上記固有振動数を有効と判定する有効性判定部を有することを特徴とする振動特性検出装置。
【請求項６】
請求項１から請求項５のうち何れか１項の振動特性検出装置であって、
さらに、上記卓越振動数の代表値、または上記固有振動数と、過去の卓越振動数の代表値、または固有振動数との差に基づいて、上記計測対象の振動特性の変化を検出する振動特性変化検出部を有することを特徴とする振動特性検出装置。
【請求項７】
計測対象の振動特性を検出する振動特性検出方法であって、
複数の振動センサの検出波形に基づいて、卓越振動数を求める卓越振動数演算ステップと、
上記複数の振動センサの複数の組み合わせごとに、卓越振動数のばらつき程度を求め、上記ばらつき程度が最も小さい振動センサの組み合わせについて、卓越振動数の代表値を求める代表値演算ステップと、
を実行することを特徴とする振動特性検出方法。
【発明の詳細な説明】
【技術分野】
【０００１】
本発明は、建築構造物や橋梁、機械装置等を含む構造物や建造物などの計測対象の振動特性を検出する振動特性検出装置、および振動特性検出方法に関するものである。
【背景技術】
【０００２】
橋梁の安全性を判定するための技術として、橋梁に外部より振動を加えて、この振動を振動検出部で検出し、その振動波形を有線で伝送して中継局に一時蓄積してから無線で計測部に伝送し、この計測部の判定部で、振動波形から橋梁の安全性を判定する技術が知られている。
【先行技術文献】
【特許文献】
【０００３】
【特許文献１】特開平７−１２８１８２号公報
【発明の概要】
【発明が解決しようとする課題】
【０００４】
しかしながら、上記のように強制的に振動を加える構成では、消費電力が大きくなり、長期間の検出を行うことが困難である。一方、強制的な振動を与えない場合に検出されるような微弱な振動は、ノイズの影響が大きいため、検出結果のばらつきを低減することなどが困難である。
【０００５】
本発明は、上記の点に鑑みてなされたものであり、微弱な振動であっても、振動特性の検出精度を向上させ得るようにすることを目的としている。
【課題を解決するための手段】
【０００６】
上記の目的を達成するために、
本発明は、
計測対象の振動特性を検出する振動特性検出装置であって、
複数の振動センサと、
各振動センサの検出波形に基づいて、卓越振動数を求める卓越振動数演算部と、
上記複数の振動センサの複数の組み合わせごとに、卓越振動数のばらつき程度を求め、上記ばらつき程度が最も小さい振動センサの組み合わせについて、卓越振動数の代表値を求める代表値演算部と、
を備えたことを特徴とする。
【０００７】
これにより、複数の振動センサが用いられ、ばらつき程度が小さい振動センサの組み合わせについて卓越振動数の代表値が求められることによって、検出される加速度の大きさ等によって計測データを大幅に除外したりせずに、高い検出精度を得ることが容易にできる。
【発明の効果】
【０００８】
本発明によれば、微弱な振動であっても、振動特性の検出精度を向上させることができる。
【図面の簡単な説明】
【０００９】
【図１】振動特性検出装置の概略構成を示す説明図である。
【図２】検出データの加速度の大きさと固有振動数の分布を示すグラフである。
【図３】他の検出データの加速度の大きさと固有振動数の分布を示すグラフである。
【図４】検出処理を示すフローチャートである。
【図５】センサの組み合わせの固有振動数抽出処理を示すフローチャートである。
【発明を実施するための形態】
【００１０】
以下、本発明の実施形態として、建築構造物の振動特性を検出する振動特性検出装置の例を図面に基づいて説明する。
【００１１】
上記振動特性検出装置は、例えば図１に示すように、ビルディングや橋梁などの建築構造物１００に設置された複数、例えば２０個程度の振動センサ１０１と、各振動センサ１０１の検出波形に基づいて、建築構造物１００の固有振動数等を検出する検出部１０２と、検出結果を図示しないサーバ装置等に送信する送信部１０３とを備えて構成されている。ここで、上記振動センサ１０１の設置場所は、固有振動数を求めるためには、通常、特に限定されず、建築構造物１００のどの箇所で計測しても同じ固有振動数を求めることができる。
【００１２】
上記検出部１０２は、具体的には、例えば演算部や記憶部などを有するマイクロコンピュータを用いて構成され、以下に詳述するような処理により、各振動センサ１０１の検出波形に基づいて、卓越振動数（スペクトルピーク）を求める卓越振動数演算部、および上記複数の振動センサ１０１の複数の組み合わせごとに、卓越振動数のばらつき程度を求め、上記ばらつき程度が最も小さい振動センサの組み合わせについて、卓越振動数の代表値を求める代表値演算部として機能するようになっている。また、卓越振動数の代表値に最も近い卓越振動数を固有振動数として求める固有振動数決定部や、卓越振動数の代表値、または上記固有振動数と、過去の卓越振動数の代表値、または固有振動数との差が、所定の下限閾値以上、かつ、所定の上限閾値以下である場合に、上記卓越振動数の代表値、または上記固有振動数を有効と判定する有効性判定部、卓越振動数の代表値、または上記固有振動数と、過去の卓越振動数の代表値、または固有振動数との差に基づいて、上記建築構造物の振動特性の変化を検出する振動特性変化検出部としても、機能し得るようになっている。なお、検出部１０２は振動センサ１０１によって得られた検出データをそのままサーバ等に送って、サーバ等で上記のような処理が行われるようにしたり、検出部１０２とサーバ等との組み合わせによって、上記のような処理が行われるようにしたりしてもよい。
【００１３】
上記のような振動特性検出装置では、特に強制振動を加えない状態でも、通常、種々の要因によって微小な振動、すなわち常時微動が検出される。そのような微小な振動は、例えば、鉛直方向の振動、およびこれに直角方向の振動についての加速度の大きさ（ＲＭＳ：二乗平均平方根）と固有振動数との関係の例を図２、図３に示すように、加速度が相対的に非常に小さな振動の検出頻度が非常に多く、かつ、そのような振動はノイズの影響が大きく固有振動数のばらつきも大きくなるのが通常である。そこで、従来一般には、固有振動数のばらつきが小さくなるような加速度の大きな（加速度のＲＭＳが小さいものを除去した）計測値や、ＳＮ比の大きな計測値を抽出したり、強制振動を加えたりして、振動特性の検出が行われる。これに対して、本実施形態の振動特性検出装置は、固有振動数のばらつきは大きくても、複数の振動センサ１０１についての検出波形に基づく平均値等の代表値を求めることによって、ノイズの影響を低減して振動特性の検出精度を高めることが可能となるものである。以下、検出部１０２で行われる具体的な処理内容の例を図４、図５に基づいて説明する。
【００１４】
（Ｓ１０１）  まず、各振動センサ１０１による振動波形データが入力される。
【００１５】
（Ｓ１０２）  次に、ノイズがある一定値以下もしくは信号がある一定値以上、または検出加速度レベルが所定の閾値以上の振動センサ１０１の振動波形データが選択される。なお、ノイズの影響は以下のように代表値を求めることによって軽減することができるので、この処理は必ずしも行われなくてもよい。また、行われる場合でも、上記閾値を小さく設定することができる。これらによって、例えば下記（表１）に示すように、主として検出レベルが低いデータを除外することによってノイズの影響を低減する場合などに比べ、選択されるデータの量を多く保つことが容易にできる。
【００１６】
【表１】
2020085515.tif 000003
【００１７】
（Ｓ１０３）  選択された各振動センサ１０１の振動波形データに基づいて、離散フーリエ変換等の振動数分析が行われる。
【００１８】
（Ｓ１０４）  上記振動数分析の結果に基づいて、卓越振動数が検出される。
【００１９】
（Ｓ１０５）  次に、複数の振動センサ１０１の組み合わせに基づいて固有振動数が抽出される。具体的には、例えば図５に示す（Ｓ２０１）〜（Ｓ２０６）のような処理が行われる。
【００２０】
（Ｓ２０１）  まず、複数の振動センサ１０１の組み合わせが設定される。具体的には、例えば２０個程度の振動センサ１０１が数個ずつに分けられてもよいし、重複して選択され得る、より多くの個数の組が設定されたりしてもよい。また、振動モードごとに、選択されないセンサがあったりしてもよい。
【００２１】
（Ｓ２０２）  振動センサ１０１の上記各組み合わせについて、卓越振動数のばらつき程度が求められる。具体的には、例えば平均値に対するばらつき（分散）や、中央値に対するばらつき、平均値等との差分の絶対値和などが求められる。
【００２２】
（Ｓ２０３）  上記ばらつき程度が最も小さい振動センサ１０１の組み合わせが選択される。
【００２３】
（Ｓ２０４）  上記選択された振動センサ１０１の組み合わせにおけるばらつき程度が、所定の閾値以下であるかどうかが判定され、所定の閾値を超える場合には、例えば大きな外乱が加わっている可能性等を考慮して、この時点での振動波形データに基づく検出処理は終了される。
【００２４】
（Ｓ２０５）  上記ばらつき程度が所定の閾値以下であれば、平均値や中央値などの代表値が求められる。
【００２５】
（Ｓ２０６）  上記代表値に最も近い、何れかの振動センサ１０１についての卓越振動数が、建築構造物１００の固有振動数として選択される。なお、上記代表値がそのまま固有振動数とされるなどしてもよい。
【００２６】
（Ｓ１０６）（図４）  上記のようにして求められた固有振動数と、過去に求められた固有振動数との差が所定の下限閾値よりも小さいほど、それらの固有振動数が高精度に一致するか、より具体的には例えば有効数字で３桁以上が一致するかどうかなどが確認され、一致していれば、検出処理は終了される。すなわち、そのような高精度に一致する検出結果が生じる場合には、外部から強い強制振動が作用していることなどが想定されるので、そのような検出結果は除外することが考えられる。
【００２７】
（Ｓ１０７）  上記（Ｓ１０５）で求められた固有振動数と、過去に求められた固有振動数との差が、所定の下限閾値を超える場合には、求められた固有振動数が、建築構造物１００の振動特性としての固有振動数として出力される。
【００２８】
上記のように、複数の振動センサ１０１を用いるとともに、検出される加速度の大きさ等によって計測データを大幅に除外せず、複数の振動センサ１０１の複数の組み合わせごとに求められた卓越振動数のばらつき程度に応じて固有振動数が求められるようにすることにより、固有振動数の微小な変化を残したまま、信頼性の低い計測データの影響を除外することが容易にでき、少ない計測回数（短時間の計測）でも、高い検出精度を得ることが容易にできる。
【００２９】
それゆえ、上記のような計測を継続して行うことにより、上記のようにして求められた固有振動数と、過去に求められた固有振動数との差に基づいて、建築構造物１００の振動特性の変化を検出し、建築構造物１００の劣化等による固有振動数の変化が小さいような場合でも、検出の確実性を高めることができる。
【００３０】
また、外来雑振動（車両等による被定常振動など）がある場合には、通常、ある特定のセンサの振動にのみ影響が出て、そのような１つのセンサだけに現われる卓越振動数は構造物の固有振動数にならないが、他のセンサには構造物の固有振動数以外の卓越振動数は出ない可能性が高いので、外来雑振動の影響を低減することもできる。
【符号の説明】
【００３１】
１００      建築構造物
１０１      振動センサ
１０２      検出部
１０３      送信部
【図１】
2020085515.tif 000004
【図２】
2020085515.tif 000005
【図３】
2020085515.tif 000006
【図４】
2020085515.tif 000007
【図５】
2020085515.tif 000008